(57)【要約】      （修正有）【課題】歩行時における踏み込みの際、蹴り出しの際の履物底に加わる力を操作することで履用性能を向上させる。【解決手段】履物底２は、少なくとも、地面に接する側の接地面層２１と、足に接する側の接足面層２２と、この接足面層２２と接地面層２１との間であって、接地面層２１及び接足面層２２よりも弾性変形が大であるクッション材からなるクッション中間層２３とを有する履物底２であって、接地面層２１の不踏部が接足面層２２に向かって突出する凸形状部２１ａをなすとともに、凸形状部２１ａから接地面層２１の踵部にかけて形成された第１の部位２１ｃと、凸形状部２１ａから接地面層２１のつま先部にかけて形成された第２の部位２１ｅとを備え、第１の部位２１ｃにクッション中間層２３の一部である踵クッション部２３１が、かつ第２の部位２１ｅにクッション中間層２３の一部であるつま先クッション部２３２がそれぞれ位置している。【選択図】図３
2005304578.tif 000002
【特許請求の範囲】
【請求項１】
少なくとも、地面に接する側の接地面層と、足に接する側の接足面層と、この接足面層と前記接地面層との間であって、前記接足面層及び前記接地面層よりも弾性変形が大であるクッション材からなるクッション中間層とを有する履物底であって、
前記接地面層の不踏部が前記接足面層に向かって突出する凸形状部をなすとともに、前記凸形状部から前記接地面層の踵部にかけて形成された第１の部位と、前記凸形状部から前記接地面層のつま先部にかけて形成された第２の部位とを備え、
前記第１の部位に前記クッション中間層の一部である踵クッション部が、かつ前記第２の部位に前記クッション中間層の一部であるつま先クッション部がそれぞれ位置している  ことを特徴とする履物底。
【請求項２】
少なくとも、地面に接する側の接地面層と、足に接する側の接足面層と、この接足面層と前記接地面層との間であって、前記接足面層及び前記接地面層よりも弾性変形が大であるクッション材からなるクッション中間層とを有する履物底であって、
前記接地面層の不踏部が前記接足面層に向かって突出する凸形状部をなすとともに、前記凸形状部から前記接地面層の踵部にかけて形成された第１の部位と、前記凸形状部から前記接地面層のつま先部にかけて形成された第２の部位とを備え、
前記第１の部位に前記クッション中間層の一部をなす踵クッション部が、かつ前記第２の部位に前記クッション中間層の残りの部分をなすつま先クッション部がそれぞれ位置している
ことを特徴とする履物底。
【請求項３】
少なくとも、地面に接する側の接地面層と、足に接する側の接足面層と、この接足面層と前記接地面層との間であって、前記接足面層及び前記接地面層よりも弾性変形が大であるクッション材からなるクッション中間層とを有する履物底であって、
前記接地面層の不踏部から前記接地面層の踵部にかけて形成された第１の部位と、前記接地面層の不踏部から前記接地面層のつま先部にかけて形成された第２の部位とを備え、  前記第１の部位に前記クッション中間層の一部である踵クッション部が、かつ前記第２の部位に前記クッション中間層の一部であるつま先クッション部がそれぞれ位置し、
前記クッション中間層が側面に露出している
ことを特徴とする履物底。
【請求項４】
少なくとも、地面に接する側の接地面層と、足に接する側の接足面層と、この接足面層と前記接地面層との間であって、前記接足面層及び前記接地面層よりも弾性変形が大であるクッション材からなるクッション中間層とを有する履物底であって、
前記接地面層の不踏部から前記接地面層の踵部にかけて形成された第１の部位と、前記接地面層の不踏部から前記接地面層のつま先部にかけて形成された第２の部位とを備え、  前記第１の部位に前記クッション中間層の一部をなす踵クッション部が、かつ前記第２の部位に前記クッション中間層の残りの部分をなすつま先クッション部がそれぞれ位置し、
前記クッション中間層が側面に露出している
ことを特徴とする履物底。
【請求項５】
接地面層の中央より踵部に近い部位から前記接地面層の前記接地面側の踵部にかけて地面に向かって凸状に形成された第１の凸状部と、
前記接地面層の中央より踵部に近い部位から前記接地面層の前記接地面側のつま先にかけて地面に向かって凸状に形成された第２の凸状部と
を備えていることを特徴とする請求項１から４の何れかに記載の履物底。
【発明の詳細な説明】
【技術分野】
【０００１】
本発明は、歩行時における踏み込みの際及び蹴り出しの際の足裏から与えられる力をクッション中間層により操作することで履用性能を向上させることができる履物底に関する。
【背景技術】
【０００２】
従来、踵部や不踏部にクッション部材を設けた履物が知られている。たとえば、特許文献１に示されるテニス、バドミントン、ゴルフ、ジョギング、バスケット等のスポーツシューズに用いられている靴底では、踵部及びつま先部にブロック状のクッション材が内装されている。この靴底では、同文献［０００６］に記載のように、「スポーツシューズのミッドソールに切欠部を形成し、該切欠部にエチレン・オクテン共重合体とエチレンー酢酸ビニル共重合体の混合物からなるクッション材を介装してなる」ものであり、同文献［００２１］に記載のように、優れた衝撃吸収性と反発性の両方を兼ね備えている。
特許文献１のスポーツシューズの靴底は、運動時に特に踵部に加えられる衝撃を吸収するために設計されたもので、図１に示すように、アウトソール９１とミッドソール９２との間（ミッドソール９２のアウトソール９１側）の切欠部にクッション材９４ａ，９５ｂが介装されている。
したがって、特許文献１のスポーツシューズの靴底では、ジャンプしたときの足裏への衝撃は、中敷９３及びミッドソール９２を介してクッション材９４ａ，９５ｂにより吸収され、吸収効果は図１に白抜き矢印で示すように、足裏面の広い範囲に分散する一方、ジャンプ等における衝撃に伴うエネルギーを反発力に変換するように構成される。
【特許文献１】特開２００１−１２８７０７
【発明の開示】
【発明が解決しようとする課題】
【０００３】
ところが、特許文献１のスポーツシューズの靴底では、通常の歩行時における履用性能の向上は想定していないため、運動を目的としない履物底には適用したとしても所望の効果を得ることができない。
本発明の目的は、歩行時における踏み込み及び蹴り出しの際の足裏から与えられる力を操作すること、すなわち踏み込み及び蹴り出しの際のエネルギーの一部をクッション中間層で蓄積・放出することで履用性能を向上させることができる履物底を提供することにある。
【課題を解決するための手段】
【０００４】
請求項１記載の発明は、少なくとも、地面に接する側の接地面層と、足に接する側の接足面層と、この接足面層と前記接地面層との間であって、前記接足面層及び前記接地面層よりも弾性変形が大であるクッション材からなるクッション中間層とを有する履物底であって、前記接地面層の不踏部が前記接足面層に向かって突出する凸形状部をなすとともに、前記凸形状部から前記接地面層の踵部にかけて形成された第１の部位と、前記凸形状部から前記接地面層のつま先部にかけて形成された第２の部位とを備え、前記第１の部位に前記クッション中間層の一部である踵クッション部が、かつ前記第２の部位に前記クッション中間層の一部であるつま先クッション部がそれぞれ位置している。
【０００５】
請求項２記載の発明は、少なくとも、地面に接する側の接地面層と、足に接する側の接足面層と、この接足面層と前記接地面層との間であって、前記接足面層及び前記接地面層よりも弾性変形が大であるクッション材からなるクッション中間層とを有する履物底であって、前記接地面層の不踏部が前記接足面層に向かって突出する凸形状部をなすとともに、前記凸形状部から前記接地面層の踵部にかけて形成された第１の部位と、前記凸形状部から前記接地面層のつま先部にかけて形成された第２の部位とを備え、前記第１の部位に前記クッション中間層の一部をなす踵クッション部が、かつ前記第２の部位に前記クッション中間層の残りの部分をなすつま先クッション部がそれぞれ位置している。
【０００６】
請求項３記載の発明は、少なくとも、地面に接する側の接地面層と、足に接する側の接足面層と、この接足面層と前記接地面層との間であって、前記接足面層及び前記接地面層よりも弾性変形が大であるクッション材からなるクッション中間層とを有する履物底であって、前記接地面層の不踏部から前記接地面層の踵部にかけて形成された第１の部位と、前記接地面層の不踏部から前記接地面層のつま先部にかけて形成された第２の部位とを備え、  前記第１の部位に前記クッション中間層の一部である踵クッション部が、かつ前記第２の部位に前記クッション中間層の一部であるつま先クッション部がそれぞれ位置し、前記クッション中間層が側面に露出している。
【０００７】
請求項４記載の発明は、少なくとも、地面に接する側の接地面層と、足に接する側の接足面層と、この接足面層と前記接地面層との間であって、前記接足面層及び前記接地面層よりも弾性変形が大であるクッション材からなるクッション中間層とを有する履物底であって、前記接地面層の不踏部から前記接地面層の踵部にかけて形成された第１の部位と、前記接地面層の不踏部から前記接地面層のつま先部にかけて形成された第２の部位とを備え、前記第１の部位に前記クッション中間層の一部をなす踵クッション部が、かつ前記第２の部位に前記クッション中間層の残りの部分をなすつま先クッション部がそれぞれ位置し、前記クッション中間層が側面に露出している。
【０００８】
請求項５記載の発明は、請求項１から４の何れかに記載の履物底において、接地面層の中央より踵部に近い部位から前記接地面層の前記接地面側の踵部にかけて地面に向かって凸状に形成された第１の凸状部と、前記接地面層の中央より踵部に近い部位から前記接地面層の前記接地面側のつま先にかけて地面に向かって凸状に形成された第２の凸状部とを備えている。
【０００９】
前記接地面層の材料として、たとえばウレタンやウレタンフォームを使用することができる。また、前記接地面層の接地面側には滑り止め等の履物底意匠を形成することができる。前記接足面層は、合成樹脂、合成皮革、布、天然皮革またはこれらの組み合わせから構成することができ、接足面側には、たとえば足裏形状に合わせた凹凸が形成されていてもよい。
クッション中間層は、前述したように前記接足面層及び前記接足面層よりも弾性変形が大であるクッション材、たとえばＥＶＡ等のフォームを使用することができる。
本発明の履物底では、クッション中間層は、前記踵クッション部と前記つま先クッション部とを一体的又は別体に形成することもできる。別体の場合には、クッション中間層は、前記踵クッション部とは異なる物性の材料（たとえば、異なる反撥弾性率、異なる圧縮率をもつ材料）を使用することができる。一体的の場合には、前記踵クッション部と前記つま先クッション部とが不踏部で連結されるように形成することもできる。
【００１０】
なお、前記接地面層、前記接足面層または前記クッション中間層は、単一層により構成することもできるし、複数層により構成することもできる。また、蹴り出し開始時には、踏み込み時に圧縮している踵クッション部は伸張する。これにより、踵クッション部に蓄積された圧縮エネルギーの放出が開始される。これとともに、つま先クッション部は圧縮し、蹴り出し時のエネルギーの一部を消費するとともに、当該エネルギーの他の一部が当該つま先クッション部に蓄積される。そして、蹴り出しの途中から終了に至る期間、このつま先クッション部に蓄積されたエネルギーが放出される。
以上のようにして、本発明では、クッション中間層（踵クッション層及びつま先クッション層）における、エネルギーの吸収、蓄積、放出により履用者の、踏み込み、体重移動、蹴り出し等がサポートされる
本発明の履物底では、踵クッション部と、つま先クッション部とは実質上別体に構成されている。すなわち、踵クッション部へのエネルギーの蓄積及び踵クッション部からのエネルギーの放出、ならびにつま先クッション部へのエネルギーの蓄積及びつま先クッション部からのエネルギーの放出と相互に干渉することなく行われる。
本発明の履物底では、前記踵クッション部を後端側が肉厚であり前端側が肉薄になるように形成し、前記つま先クッション部を後端側及び前端側が肉薄であり中間部が肉厚になるように形成することができる。
前記接足面層は、ほぼ同一の厚みに形成することもできるし、踵部側が肉厚、つま先部が肉薄になるように形成することもできる。
また、本発明の履物底では、前記クッション中間層は、側面に露出するように構成できる。クッション中間層の側部を、たとえば、接地面層や接足面層と同一の材料により被覆したときは、クッション中間層へのエネルギーの蓄積やクッション中間層からのエネルギーの放出が円滑に行われないことがあるが、前記クッション中間層の側部を露出することで、このような不都合は生じない。
【発明の効果】
【００１１】
請求項１〜４記載の発明によれば、歩行時における踏み込みの際と蹴り出しの際の足裏から与えられる力が操作されるので履用性能が向上する。すなわち、踏み込み時には、踵クッション部に踏み込み時におけるエネルギーの一部を蓄積することで踏み込み動作がサポートされる。また、蹴り出し開始時には、踵クッション部に蓄積されたエネルギーが放出され、かつつま先部分にエネルギーの一部を蓄積して、蹴り出しの終了の際にこのエネルギーを放出することで蹴り出しの動作もサポートされる。
【００１２】
また、請求項５記載の発明によれば、前述した請求項１〜４に記載の発明の効果に加え、第１の凸状部、第２の凸状部を介して、歩行時における踏み込みから蹴り出しへの移行を円滑に行え、楽に歩くことができる。
【発明を実施するための最良の形態】
【００１３】
以下、本発明の履物底をサンダルに適用した場合の一実施形態を図面より説明する。図２は、本発明の履物底を示す図であり、（Ａ）は斜視図、（Ｂ）は側面図、（Ｃ）は正面断面図（（Ｂ）におけるＡ−Ａ線断面図）である。
図２（Ａ）〜（Ｃ）において、サンダル１は、ソール（本発明の履物底）２と、甲被部３とからなる。
ソール２は、地面に接する側の接地面層２１と、足に接する側の接足面層２２と、この接足面層２２と接地面層２１との間であって、接地面層２１及び接足面層２２よりも弾性変形が大であるクッション材からなるクッション中間層２３とを備えて構成されている。
【００１４】
接地面層２１の不踏部（接地面層２１における足の土踏まずの垂下に位置する部分）が接足面層２２に向かって突出する凸形状部２１ａをなすとともに、凸形状部２１ａから接地面層２１の踵部２１ｂにかけて形成された第１の部位２１ｃと、凸形状部２１ａから接地面層２１のつま先部２１ｄにかけて形成された第２の部位２１ｅとを備えている。
【００１５】
接地面層２１は、たとえば合成樹脂（たとえば、ウレタンまたはウレタンフォーム）から構成され、地面との接触による磨耗を防止する。なお、図示はしないが接地面層２１の接地面には滑り止め等の凹凸意匠を形成することができる。
なお、接地面層２１の中央２１ｆより接地面側の踵部に近い部位から接地面層２１の接地面側の踵部にかけて地面に向かって凸状に形成された第１の凸状部２１ｇと、接地面層２１の中央２１ｆより接地面側の踵部に近い部位から接地面層２１の接地面側のつま先にかけて地面に向かって凸状に形成された第２の凸状部２１ｈとを備えている。
【００１６】
接足面層２２は、板状をなし、合成樹脂（たとえば、ウレタンまたはウレタンフォーム）、合成皮革、布、天然皮革またはこれらの組み合わせから構成することができる。接足面層２２を、合成樹脂により構成する場合には、接地面層２１と同一の材料を用いてもよいし、異なる材料を用いてもよい。
【００１７】
接足面層２２の表面には、良好な履用感を発揮するように足裏形状に応じた凹凸を形成することもできるし、表面にすべり止め用の面材を貼着することもできる。また、接足面層２２は、足の接地面形状に応じて適度に変形する材料により構成することができる。
クッション中間層２３は、接地面層２１や接足面層２２よりも弾性変形が大であるフォーム材からなり、このフォーム材として適宜のもの（たとえばＥＶＡフォーム）を採用することができる。クッション中間層２３は、踵部に形成された踵クッション部２３１と、不踏部とつま先部の間の領域に形成したつま先クッション部２３２とからなる。
第１の部位２１ｃにクッション中間層２３の一部である踵クッション部２３１が、かつ第２の部位２１ｅにクッション中間層２３の一部であるつま先クッション部２３２がそれぞれ位置している。  
【００１８】
踵クッション部２３１とつま先クッション部２３２とは、不踏部の部分で分離して構成することができるし（図３参照）、連結部分（不踏部部分）を薄くして一体に形成することもできる（図６参照）。踵クッション部２３１とつま先クッション部２３２とを、分離して構成する場合には、各部の材料として異なる物性（たとえば、反撥弾性率、圧縮率等）のものを採用することができる。
踵クッション部２３１は、後端側が肉厚となるように、前端側が肉薄になるように形成することができる。また、つま先クッション部２３２は、後端側（不踏部端の側）と前端側（つま先端の側）とが肉薄となり、中間部が肉厚となるように形成することができる。  クッション中間層２３は、ソール２の側面に露出している。これによりクッション中間層２３の、後述するクッション効果が、効率良く発揮される。
【００１９】
本実施形態では、ソール２の表面の最も低い点と最も高い点との差（ヒール差H ：このヒール差は、履用者の体重が加えられたときの値）は１５〜３５ｍｍ程度とすることが好ましく、図２では２５ｍｍ程度としてある。
甲被部３は、甲被３１とベルト３２とを備えており、図２（Ｃ）に示すように、甲被３１の両端は接足面層２２に、接足面層２２の下面側に逢着（逢着部をＳで示す）されており、左右両端が接足面層２２とクッション中間層２３間に挟み込まれている。
【００２０】
図３は、サンダル１の分解図であり、別々に形成した接地面層２１、接足面層２２、クッション中間層２３、甲被部３を接着剤を用いて接合して構成している。
図４（Ａ），（Ｂ），（Ｃ）及び図５（Ａ），（Ｂ），（Ｃ），（Ｄ）により、ソール２の作用を詳細に説明する。
図４（Ｂ）は、図２〜図３に示したサンダル１の歩行時の一方の足の履用状態を示す図であり、図４（Ａ），（Ｃ）は踵クッション部２３１と、つま先クッション部２３２のエネルギー蓄積、及びエネルギー放出の状態の一例を示す説明図である。
図４（Ｂ）において、踏み込みから次の踏み込みまでを（１）〜（７）で示し、図４（Ａ），（Ｃ）において、踵クッション部２３１に蓄積されたエネルギーをＥ１で示し、つま先クッション部２３２に蓄積されたエネルギーをＥ２で示してある。なお、図４及び図５では、サンダル１は、ソール２により示してある。
【００２１】
まず、踏み込み開始に際しては、図４（Ｂ）（１）及び図５（Ａ）に示すように、踵クッション部２３１が圧縮され、踵クッション部２３１には踏み込みによるエネルギーが蓄積され（図５（Ａ）の白抜き矢印参照ｆ１参照）、このエネルギーの蓄積により体重移動がサポートされる。図４（Ｂ）（２）に示すように、踏み込み動作の終了すると、エネルギーの蓄積も終了する。これとともに、圧縮していた踵クッション部２３１は伸張し、踵部に集中してエネルギーの放出が開始され（図５（Ｂ）の白抜き矢印ｆ２参照）、これと同時に、蹴り出し動作が開始する。
蹴り出し動作が開始すると、図４（３）及び図５（Ｃ）に示すように、つま先クッション部２３２が圧縮され、エネルギーの蓄積が開始される（図５（Ｃ）の白抜き矢印ｆ３参照）。つま先クッション部２３２へのエネルギーの蓄積が終了すると、図４（４）及び図５（Ｄ）に示すように、圧縮していたつま先クッション部２３２は伸張を開始し、つま先部に集中してエネルギーの放出が開始され（図５（Ｄ）の白抜き矢印ｆ４参照）、蹴り出し動作がサポートされる。
【００２２】
接足面層２２は、図５（Ａ）〜（Ｄ）に示すように、蹴り出し時や踏み込み時に、符号Ｐ（凸形状部２１ａ）で示す点が支点となって折れ曲がることで（すなわち、接足面層２２がＰを支点としてシーソーの如く動作することで）、踵クッション部２３１におけるエネルギーの蓄積・放出、つま先クッション部２３２におけるエネルギーの蓄積・放出が独立して、かつ交互に行われるので、歩行リズムが取り易くなり履用感覚が向上する。なお、Ｐ点により、足の不踏部は適当な力で、接地面層２１から押され、指圧作用も奏されるので長時間履用しても疲労が生じにくい。
【００２３】
以下、図４（Ｂ）（５）〜（７）に示すように、サンダル１は空中を移動するが、このとき他方の足に装着されたサンダル１のソール２は上記図４（１）〜（４）におけると同様に作用する。
上記の実施形態では、クッション中間層２３の側部は、たとえば接地面層２１や接足面層２２と同一の材料より被覆されてはおらず、ソール２の側面に露出している。すなわち、クッション中間層２３の圧縮や伸張が、被覆部材により阻害されることはないので、エネルギーの蓄積、エネルギーの放出が円滑に行われる。
また上記実施形態では、サンダル１を例に示しているが、図２（Ａ）〜（Ｃ）に示すように、サンダル１では、不踏部の両サイドに甲被部３が取り付けられているので、クッション中間層へのエネルギーの蓄積や放出が円滑に行われる。
【００２４】
なお、本実施例では、接地面層２１の不踏部（接地面層２１における足の土踏まずの垂下に位置する部分）が接足面層２２に向かって突出する凸形状部２１ａを形成したが、場合により、凸形状部２１ａをなくし、平坦部としてもよい。
【図面の簡単な説明】
【００２５】
【図１】図１は、従来の履物底の作用を示す説明図である。
【図２】図２は、本発明の履物底を備えた履物を示す図であり、（Ａ）は概略的斜視図、（Ｂ）は概略的側面図、（Ｃ）は（Ｂ）におけるＡ−Ａ’線による概略的断面図である。
【図３】図３は、図１の履物を分解して示す概略的分解図である。
【図４】図４（Ｂ）は、図１〜図２に示した履物の歩行時の一方の足の履用状態を示す図であり、（Ａ）、（Ｃ）は踵クッション部と、つま先クッション部のエネルギー蓄積、及びエネルギー放出の状態を示す説明図である。
【図５】図５（Ａ）、（Ｂ）、（Ｃ）、（Ｄ）は、履物底の作用の説明図である。
【図６】図６は、図３の履物の他の実施例の概略的分解図である。
【符号の説明】
【００２６】
２          履物底
２１        接地面層
２２        接足面層
２３        クッション中間層
２３１      踵クッション部
２３２      つま先クッション部
【図１】
2005304578.tif 000003
【図２】
2005304578.tif 000004
【図３】
2005304578.tif 000005
【図４】
2005304578.tif 000006
【図５】
2005304578.tif 000007
【図６】
2005304578.tif 000008